(57)【要約】【課題】巣の下方位置に巣からの落下物を受ける受け部を設けて、巣からの落下物が地面に落下することを防止するとともに、受け部に入った液体を排出できるようにする。【解決手段】巣Ｘから落下する落下物を巣Ｘの下方位置で受ける受け部４と、この受け部４を電柱２等の取付対象物に固定して支持する支持部５とを備えた営巣落下物防止装置１であって、前記受け部４は、底部１０と、この底部１０の周囲を囲んで突出する側壁部１１とを有し、しかも、受け部４には、この受け部４に入った液体を所定の排出位置に排出する排出手段６が設けられる。【選択図】図２
2009118560.tif 000002
【特許請求の範囲】
【請求項１】
巣から落下する落下物を巣の下方位置で受ける受け部と、この受け部を電柱等の取付対象物に固定して支持する支持部とを備えた営巣落下物防止装置であって、
受け部は、底部と、この底部の周囲を囲んで突出する側壁部とを有し、しかも、受け部には、この受け部に入った液体を所定の排出位置に排出する排出手段が設けられることを特徴とする営巣落下物防止装置。
【請求項２】
前記受け部には、巣からの落下物を受ける受け部材が着脱自在に設けられる請求項１に記載の営巣落下物防止装置。
【請求項３】
前記排出手段は、電柱等の取付対象物に沿って液体を排出可能に構成されてなる請求項１または２に記載の営巣落下物防止装置。
【請求項４】
前記支持部には、電柱に作られた巣の位置に対応して受け部の位置を変更可能とする位置変更手段が設けられる請求項１から３のいずれか１項に記載の営巣落下物防止装置。
【発明の詳細な説明】
【技術分野】
【０００１】
本発明は、電柱等に作られた鳥類等の動物の巣から落下する落下物が地面に落下しないようにする営巣落下防止装置に関する。
【背景技術】
【０００２】
従来、例えば電柱、鉄塔の上部には、電線等を支持する腕金等の支持金物が設けられており、このような支持金物には、例えばカラス等の鳥によって巣が作られる場合がある。このような鳥の巣は、地絡、短絡等の障害の原因となるおそれがある場合には、撤去することが望ましい。
【発明の開示】
【発明が解決しようとする課題】
【０００３】
通常、巣を撤去すると、その営巣場所には、再び巣が作られる場合が多い。したがって、その営巣場所を監視して、定期的に巣の撤去を行う必要があるが、この巣が作られている最中や、巣が撤去されるまでの間は、この巣から、巣の破片や、鳥の糞等の落下物が地面に落下することになる。
【０００４】
このように、巣からの落下物が地面に落下し続けると、その場所の美観を損なうとともに、この場所を通行する場合や、電気工事作業を行う場合などに支障を来すおそれがある。
【０００５】
これを防止するには、例えば、巣の下方位置に落下物を受ける受け部を設け、この受け部を電柱、鉄塔の所定位置で支持することが考えられる。
【０００６】
しかしながら、この場合には、例えば、雨水等の液体が受け部に入り、これが溜まることによって、受け部の重量が大きくなり、この受け部を支持する支持部に過大な荷重が作用して、破損の原因となるおそれがある。
【０００７】
本発明は、上記の事情に鑑みてなされたものであり、巣の下方位置に巣からの落下物を受ける受け部を設けて、落下物が地面に落下することを防止するとともに、受け部に入った液体を排出できるようにした営巣落下物防止装置を提供することを課題とする。
【課題を解決するための手段】
【０００８】
本発明に係る営巣落下物防止装置は、上記の課題を解決するためのものであって、巣から落下する落下物を巣の下方位置で受ける受け部と、この受け部を電柱等の取付対象物に固定して支持する支持部とを備えた営巣落下物防止装置であって、受け部は、底部と、この底部の周囲を囲んで突出する側壁部とを有し、しかも、受け部には、この受け部に入った液体を所定の排出位置に排出する排出手段が設けられることを特徴とする。
【０００９】
かかる構成によれば、支持部を介して電柱に固定される受け部を巣の下方位置に設けることによって、巣からの落下物をこの受け部で受けることで、落下物が地面に落下するのを防止できるようになる。しかも、受け部に排出手段が設けられていることから、例えば、雨水等の液体が受け部に入った場合であっても、これを受け部外の所定位置に排出することで、受け部の重量が極端に大きくなるのを防止して、受け部を支持する支持部に過大な荷重がかからないようにすることができる。
【００１０】
また、本発明に係る営巣落下物防止装置は、受け部に、巣からの落下物を受ける受け部材が着脱自在に設けられる構成を採用できる。
【００１１】
かかる構成によれば、巣からの落下物を受ける受け部材を受け部に対して着脱自在に設けることによって、受け部に溜まった落下物を取り除くときに、落下物を受けた受け部材を受け部から取り外すだけで、この落下物を受け部から容易に取り除くことができる。
【００１２】
また、本発明に係る営巣落下物防止装置は、前記排出手段が、電柱等の取付対象物に沿って液体を排出可能とされる構成を採用できる。
【００１３】
かかる構成によれば、受け部に入った液体を取付対象物に沿って排出することで、受け部の下方の地面にこの液体が飛散しながら落下することを防止できる。
【００１４】
また、本発明に係る営巣落下物防止装置は、前記支持部に、電柱に作られた巣の位置に対応して受け部の位置を変更可能とする位置変更手段が設けられる構成を採用できる。
【００１５】
かかる構成によれば、電柱に設けられる巣の位置に応じて受け部の位置を変更できるため、電柱上に作られる巣の位置（営巣位置）が変わった場合であっても、容易に対応できるようになる。また、巣の位置に応じて受け部の位置を変更可能な構成とすることで、受け部の大きさを必要以上に大きくすることなく、この受け部の小型化および軽量化を実現できるようになる。
【発明の効果】
【００１６】
本発明によれば、巣の下方位置に巣からの落下物を受ける受け部を設けて、巣からの落下物が地面に落下することを防止するとともに、受け部内に入った液体を排出できるようになる。
【発明を実施するための最良の形態】
【００１７】
以下、本発明に係る営巣落下物防止装置を実施するための最良の形態を、図面に基づき説明する。図１、図２は、営巣落下物防止装置の第１実施形態を示している。
【００１８】
図１、図２に示すように、営巣落下物防止装置１は、例えば電柱２に設けられた腕金等の支持金物３上に作られた鳥類等の動物の巣Ｘの下方位置で、この巣Ｘからの落下する巣Ｘの破片や糞等の落下物を受けるためのものである。
【００１９】
この営巣落下物防止装置１は、巣Ｘからの落下物を受ける受け部４と、営巣落下物防止装置１の取付対象物である電柱２に受け部４を固定して支持する支持部５と、この受け部４に入った雨水等の液体を受け部４外の所定の排出位置に排出するための排出手段６とを有する。
【００２０】
受け部４は、図１に示すように、平面視四角形状で、上部に開口を有する箱形状となっている。この受け部４は、底部１０と、底部１０のまわりに設けられた側壁部１１を有する。本実施形態では、底部１０は、四角形の板形状とされており、側壁部１１は、底部１０の各辺（四辺）に設けられ、底部１０を囲んだ状態で突出して形成されている。本実施形態では、この底部１０と側壁部１１は、合成樹脂により一体に形成されている。
【００２１】
この受け部４には、巣Ｘから落下する落下物を受ける受け部材１２を着脱自在に設けることができる。本実施形態では、受け部材１２として、底部１０よりも若干大きさが小さく、金属製で平面視四角形状の網体が用いられている。なお、この受け部材１２は、全体に絶縁材がコーティングされている。
【００２２】
側壁部１１には、この受け部材１２を支持するための複数の突起部１３が設けられている。この突起部１３は、側壁部１１内面の中途部から突出して形成され、底部１０から所定間隔離れて位置している。したがって、受け部材１２は、受け部４に入れられると、底部１０から離れた位置で、この突起部１３に支持される。
【００２３】
支持部５は、受け部４の側壁部１１の外面から突出して形成された腕部１５と、営巣落下物防止装置１の取付対象物である電柱２に腕部１５を固定するための固定バンド１６とを有する。腕部１５は、受け部４の側壁部１１の外面の２箇所に設けられている。２つの腕部１５，１５のそれぞれには、１対の固定バンド１６，１６が設けられている。また、各固定バンド１６，１６の一端部には、ボルト１７を挿通可能な貫通孔（図示略）が形成されている。
【００２４】
図２に示すように、排出手段６は、側壁部１１と底部１０の境界位置に形成された液体の排出孔２１と、排出孔２１に対応する位置で側壁部１１の外面から突出して形成された排出口部２２と、側壁部１１の外面側で排出口部２２に接続された排出ホース２３とを有する。前記排出孔２１は、側壁部１１を貫通して形成されており、排出口部２２は、筒状に構成されて、排出孔２１と連通して形成されている。
【００２５】
排出ホース２３は、可撓性を有しており、その一端部が排出口部２２に連結されるとともに、その他端部に、液体を排出する排出口２３ａが設けられている。排出ホース２３は、排出口部２２に連結された状態で、少なくとも電柱２の表面に到達できる程度の長さとされるのが望ましい。
【００２６】
また、この排出ホース２３は、電柱２に沿ってこの電柱２の基部にまで到達するような長さとされていてもよい。排出ホース２３の排出口２３ａは、電柱２の表面に近接するように設けられることが望ましい。図２に示すように、排出ホース２３は、排出口２３ａ寄りの部分が結束線、バンド等の固定手段２６によって電柱２に固定されている。
【００２７】
以下、本実施形態に係る営巣落下物防止装置１の使用方法について説明する。
【００２８】
電柱２に鳥等の動物によって巣Ｘが作られていることが確認された場合、その巣Ｘが作られている最中、または、この巣Ｘが作られた後に、受け部４が巣Ｘの下方に位置するように、営巣落下物防止装置１を電柱２に取り付ける。
【００２９】
営巣落下物防止装置１を電柱２に取り付けるには、支持部５の１対の固定バンド１６，１６で電柱２を挟むようにし、１対の固定バンド１６，１６の貫通孔同士を一致させ、この貫通孔にボルト１７の軸部を挿通し、ナット２７で締結する。
【００３０】
これにより、営巣落下物防止装置１は、支持部５の腕部１５が電柱２の表面に当接し、受け部４が動かないように支持された状態で、電柱２に取り付けられる。なお、受け部４内には、受け部材１２を事前または事後的に設けておく。
【００３１】
次に、受け部４に設けられている排出手段６の排出ホース２３を、結束線、バンド等の固定手段２６を介して電柱２に固定する。このとき、排出ホース２３の排出口２３ａが下向きとなるようにし、さらに、この排出口２３ａから排出される液体が電柱２の表面を伝って流れるように、この排出口２３ａをできるだけ電柱２表面に近接させて固定する。
【００３２】
以上により、営巣落下物防止装置１は、所定期間、この状態のままで、巣Ｘからの落下物が地面に落下しないように受け部４で受け続ける。この後、定期的に受け部４に入った落下物を撤去することが望ましい。
【００３３】
落下物を撤去する際は、受け部材１２を受け部４から取り外し、受け部材１２に付着した落下物を取り除くようにする。受け部材１２を取り外した後は、新たな受け部材１２を受け部４に設けてもよいし、受け部材１２に付着した落下物を取り除いた後、この受け部材１２を再び受け部４に設けてもよい。
【００３４】
そして、この巣Ｘが鳥等の動物によって使われなくなった場合等、巣Ｘの撤去に適した時期に、この巣Ｘの撤去作業を行う。この巣Ｘの撤去の際に、営巣落下物防止装置１を電柱２から取り外してもよいが、再び巣Ｘが作られる可能性もあることから、この営巣落下物防止装置１をそのまま残しておいてもよい。
【００３５】
また、巣Ｘが地絡、短絡等の障害となるおそれが全くない場所に作られている場合には、巣Ｘをそのまま残し、営巣落下物防止装置１によって、巣Ｘからの落下物を受け続けるようにしてもよい。このようにすることで、巣Ｘの撤去作業にかかる費用を低減できるようになる。
【００３６】
以上説明した営巣落下物防止装置１によれば、巣Ｘの下方位置で、巣Ｘからの落下物を受け部４によって受けることにより、この落下物が地面に落下するのを防止できる。また、落下物が変圧器等の部品に落下して地絡等の障害が発生するということも防止できるようになる。
【００３７】
また、この受け部４には、落下物を受けるための受け部材１２が、受け部４に対して着脱自在に設けられていることから、受け部４内に入った落下物を取り除く場合には、この受け部材１２を受け部４から取り外せば、受け部４内の落下物を容易に取り除くことができるようになる。
【００３８】
また、受け部４に排出手段６を設けることによって、受け部４に入った雨水等の液体は、この排出手段６を介して所定の排出位置で排出され、これによって、受け部４内に液体が溜まって受け部４の重量が極端に大きくなることを防ぎ、支持部５に過大な荷重が作用して破損するのを防止できる。
【００３９】
さらに、排出手段６の排出ホース２３の排出口２３ａを電柱２の表面に沿った位置（排出位置）に設けることで、排出口２３ａから排出された液体は、電柱２の表面を伝って地面に到達することになり、これによって、営巣落下物防止装置１は、液体を受け部４の下方に飛散しながら落下させることなく、電柱２の基部近傍の地面に到達させることができる。
【００４０】
図３〜図５は、営巣落下物防止装置１の第２実施形態を示している。
【００４１】
この第２実施形態では、受け部４に受け部材１２が着脱自在に設けられる点、および受け部４に排出手段６が設けられる点は、第１実施形態と同様の構成であるが、支持部５の構成が第１実施形態と異なる。
【００４２】
図３に示すように、受け部４を支持する支持部５は、受け部４を支持する第１支持部材５ａと、この第１支持部材５ａを支持する第２支持部材５ｂとを有する。
【００４３】
第１支持部材５ａは、角柱状に構成されており、その一端部に、第２支持部材５ｂに連結される連結部（以下「第１連結部」という）３１を有する。第１連結部３１の上面には、第２支持部材５ｂに連結される連結孔（以下「第１連結孔」という）３１ａが形成されている。この第１連結孔３１ａの内面には、雌ねじが形成されている。
【００４４】
また、この第１支持部材５ａの中途部には、この第１支持部材５ａの長手方向に間隔をおいて複数の貫通孔３４，３４…が形成されている。この貫通孔３４，３４…の内面には雌ねじが形成されている。
【００４５】
第２支持部材５ｂは、第１支持部材５ａに連結されるとともに、営巣落下物防止装置１の取付対象物である電柱２に固定されて、この第１支持部材５ａを支持するようになっている。この第２支持部材５ｂは、第１支持部材５ａが連結される連結部（以下「第２連結部」という）３６と、この第２連結部３６を電柱２に固定するための１対の固定バンド３７，３７とを有する。この第２連結部３６は、円弧状の板部材とされており、この第２連結部３６の各端部に、固定バンド３７，３７が設けられている。
【００４６】
この第２連結部３６には、第１支持部材５ａの第１連結部３１に連結される複数の連結孔（以下「第２連結孔」という）３６ａ，３６ａ…が、その円周方向（円弧の方向）に間隔をおいて貫通形成されている。
【００４７】
この第２連結孔３６ａは、第１支持部材５ａと第２支持部材５ｂを連結する連結ボルト３８を挿通可能に構成されている。第２支持部材５ｂは、この第２連結孔３６ａと、第１支持部材５ａの第１連結孔３１ａとを一致させた状態で、連結ボルト３８を第１連結孔３１ａに螺合させることにより、第１支持部材５ａと連結される。
【００４８】
また、第２支持部材５ｂに複数の第２連結孔３６ａが形成されていることから、第１支持部材５ａは、その第１連結部３１の第１連結孔３１ａと一致させる第２連結部３６の第２連結孔３６ａを変えることによって、第２支持部材３６ａに対する連結位置、換言すれば、電柱２に対する取付位置を変更できるようになっている。
【００４９】
受け部４の底部１０外面には、第１支持部材５ａに取り付けられる取付部４１が設けられている。この取付部４１は、第１支持部材５ａを挿通可能な四角筒状に構成されている（図５参照）。この取付部４１の下部には、取付部４１の筒壁を貫通する貫通孔４１ａが形成されている。この貫通孔４１ａには、取付部４１を支持部５に固定するボルト４３を挿通できるようになっている。なお、本実施形態では、受け部４には、第１実施形態で示した腕部１５は設けられていない。
【００５０】
図３に示すように、受け部４は、取付部４１の内側に第１支持部材５ａが挿通された状態で、取付部４１の貫通孔４１ａと第１支持部材５ａの貫通孔３４とを一致させ、第１支持部材５ａの貫通孔３４にボルト４３を螺合させて締結することによって、第１支持部材５ａに固定される。
【００５１】
また、本実施形態に係る営巣落下物防止装置１は、第１支持部材５ａの長手方向に沿って複数の貫通孔３４、３４…が形成されていることから、取付部４１の貫通孔４１ａと一致させる第１支持部材５ａの貫通孔３４を変えることで、受け部４の支持位置（固定位置）を変更できるようになっている。
【００５２】
上述のように、本実施形態に係る営巣落下物防止装置１は、第２支持部材５ｂに対する第１支持部材５ａの連結位置を変更できるように構成されているので、この連結位置を変更することで、第１支持部材５ａが支持する受け部４の位置を変更できるようになっている。すなわち、本実施形態に係る営巣落下物防止装置１の支持部５には、この支持部５と受け部４の間、より具体的には、第１支持部材５ａと第２支持部材５ｂとの間に、受け部４の位置を変更可能とする位置変更手段（第１位置変更手段）が設けられているということができる。
【００５３】
また、上述の如く、第１支持部材５ａに対する受け部４の取付位置（支持位置）を変更できるので、本実施形態に係る営巣落下物防止装置１の支持部５には、この支持部５と受け部４の間、より具体的には、受け部４と第１支持部材５ａとの間に、受け部４の位置を変更可能とする位置変更手段（第２位置変更手段）が設けられているということができる。
【００５４】
以下、本実施形態に係る営巣落下物防止装置１の使用方法について説明する。
【００５５】
営巣落下物防止装置１を電柱２に取り付けて使用するには、まず、支持部５の第２支持部材５ｂを電柱２に取り付ける。第２支持部材５ｂを電柱２に取り付けるには、この第２支持部材５ｂの第２連結部３６と１対の固定バンド３７，３７とで電柱２を取り囲むようにし、各固定バンド３７、３７の端部の貫通孔を一致させ、これらの貫通孔にボルト４５の軸部を挿通し、ナット４６を嵌めて締結する。これにより、第２支持部材５ｂは電柱２に取り付けられる。
【００５６】
次に、第１支持部材５ａを第２支持部材５ｂに連結する。すなわち、第１支持部材５ａの第１連結部３１の端面を電柱２の表面に当接させるとともに、第１連結孔３１ａを第２支持部材５ｂの第２連結部３６の第２連結孔３６ａと一致させ、連結ボルト３８を第１連結孔３１ａに螺合させて締結する。これにより、第１支持部材５ａは第２支持部材５ｂに連結され、電柱２に固定される。
【００５７】
なお、第１支持部材５ａには、予め受け部４を取り付けておくことが望ましいが、第１支持部材５ａを第２支持部材５ｂに連結した後で、受け部４を第１支持部材５ａに取り付けるようにしてもよい。
【００５８】
第１支持部材５ａに受け部４が取り付けられた状態において、この受け部４が巣Ｘの下方位置にない場合、または巣Ｘの位置（営巣場所）が移動した場合には、位置変更手段（第１位置変更手段、第２位置変更手段）によって、受け部４が巣Ｘの下方に位置するように移動させる。
【００５９】
このようにして受け部４の位置を決めた後、結束線、バンド等の固定手段２６によって、排出手段６の排出ホース２３を電柱２に固定する。このとき、排出ホース２３の排出口２３ａから排出される液体が電柱２を伝って流れるように、この排出口２３ａを下方に向けるとともに、できるだけ電柱２の表面に近接させて固定する。
【００６０】
以上によって、営巣落下物防止装置１は、電柱２の取り付けられることになり、所定期間、巣Ｘからの落下物を受け部４で受け続ける。そして、一定期間ごとに受け部４に溜まった落下物を取り除くようにする。なお、この営巣落下物防止装置１は、巣Ｘの撤去と同時に取り外してもよいし、再び巣Ｘが作られることに備えて、または、巣Ｘを撤去する必要がない場合には、電柱２に取り付けたままで残してもよい。
【００６１】
以上説明した第２実施形態に係る営巣落下物防止装置１によれば、第１実施形態と同様に、巣Ｘからの落下物が地面に落下しないように受け部４によって受けるとともに、受け部４に入った雨水等の液体を排出手段６によって所定の排出位置で排出できる。また、受け部材１２を受け部４に対して着脱自在に設けることで、受け部４に入った落下物を容易に取り除くことができるようになる。
【００６２】
さらに、営巣落下物防止装置１には、受け部４の位置を変更可能とする位置変更手段が設けられていることから、巣Ｘの位置が変わった場合等に対応でき、この点で有用である。また、この受け部４の位置を巣Ｘの位置に応じて変更可能に構成で、受け部４の大きさを可及的に小さく構成することができるようになり、これによって、受け部４の小型化および軽量化を実現できる。
【００６３】
なお、本発明は上記の実施形態に限らず、種々の変更・変形が可能である。
【００６４】
例えば、上記の実施形態では、受け部４を平面視四角形状の箱形状とした例を示したが、これに限らず、受け部４の平面視における形状は、円形、楕円形、多角形、異形形状その他の種々の形状を採用できる。
【００６５】
また、上記の実施形態では、受け部４を合成樹脂によって箱形状に形成した例を示したが、これに限らず、例えば、受け部４の底部１０、側壁部１１の厚さを薄く形成することにより、この受け部４を折り畳み可能な袋形状に構成してもよい。このようにすることで、営巣落下物防止装置１の不使用時には、受け部４を折り畳んで小さくすることができ、例えば営巣落下物防止装置１を保管する場合等に非常に便利になる。
【００６６】
上記の実施形態では、受け部４として合成樹脂製のものを用いた例を示したが、これに限らず、受け部４として、金属製、木製その他の種々の材質のものを採用できる。なお、受け部４の材質として導電体を用いる場合には、受け部４全体に絶縁コーティングを施すことが望ましい。
【００６７】
上記の実施形態では、受け部材１２として金属製の網体を用いた例を示したが、これに限らず、受け部材１２には、金属製、木製、合成樹脂製の板部材その他種々の形状のものを使用できる。
【００６８】
上記の実施形態では受け部４内に受け部材１２を設けて落下物を受ける例を示したが、これに限らず、受け部４内に受け部材１２を設けずに、底部１０で落下物を受けるようにしてもよい。また、受け部４内に受け部材１２を設けずに、受け部４に袋を設けてこの袋内に落下物が落下するようにすれば、落下物を取り除く際に、この袋ごと撤去することで、落下物の排除作業が容易になる。
【００６９】
上記の実施形態では、受け部４に形成された液体の排出孔２１に排出ホース２３を連結した例を示したが、これに限らず、排出ホース２３に代えて樋その他の手段を用いるようにしてもよい。
【００７０】
上記の実施形態では、営巣落下物防止装置１を電柱２に取り付けて使用する例を示したが、この営巣落下物防止装置１が取り付けられる取付対象物としては、電柱２のみに限定されず、電柱２に設けられた支持金物３や鉄塔その他の構造物が対象となる。
【００７１】
上記実施形態では、第１支持部材５ａを四角柱状に構成するとともに、受け部４の取付部４１をこの第１支持部材５ａを挿通できるように四角筒状に構成した例を示したが、これに限らず、第１支持部材５ａを円柱状、断面が楕円状の柱状、四角柱以外の多角柱状、長板状その他の種々の形状にするとともに、受け部４の取付部４１を、この第１支持部材５ａが挿通できるような形状に構成してもよい。
【００７２】
上記実施形態では、受け部４の位置を変更する２つの位置変更手段（第１位置変更手段、第２位置変更手段）が設けられた営巣落下物防止装置１を例示したが、２つの位置変更手段の一方が営巣落下物防止装置に設けられている構成も採用可能である。
【００７３】
上記実施形態では、第１支持部材５ａの中途部に、複数の貫通孔３４，３４…を形成した例を示したが、これに限らず、この孔が、第１支持部材５ａの下側から形成され、そしてボルト４３によって受け部４の取付部４１を固定可能な深さを有していれば、第１支持部材５ａを貫通していなくてもよい。また、第１支持部材５ａを板状に構成するとともに、この支持部材５ａに複数の貫通孔を形成し、この貫通孔を介して受け部４を取付可能に構成すれば、受け部４を支持部材５ａの長手方向のみならず、多方向に位置変更（移動）可能になる。
【００７４】
上記実施形態では、第１支持部材５ａの長手方向に複数の貫通孔３４，３４…を形成して受け部４を支持する位置を変更する例を示したが、これに限らず、例えば、第１支持部材５ａを伸縮自在に構成して、第１支持部材５ａの長さを変更することによって、第１支持部材５ａが支持する受け部４の位置を変更可能とし、これを位置変更手段として利用してもよい。
【００７５】
上記実施形態では、第２支持部材５ｂの第２連結部３６を円弧状に構成するとともに、この第２連結部３６に複数の第２連結孔３６ａを形成し、第１支持部材５ａを第２支持部材５ｂに連結する際に、第１支持部材５ａを連結する第２連結孔３６ａの位置を変えることによって、受け部４の位置を変更できるようにした例を示したが（第２位置変更手段）、これに限らず、例えば、第１支持部材５ａと、第２支持部材５ｂとを、ヒンジ等の回動連結手段によって連結し、第２支持部材５ｂに対して、第１支持部材５ａを回動させることによって、第１支持部材５ａが支持する受け部４の位置を変更できるようにしてもよい。
【００７６】
上記実施形態では、結束線、バンド等の固定手段２６を介して排出手段６の排出ホース２３を電柱２に固定した例を示したが、これに限らず、例えば、排出ホース２３に十分な長さをもたせて、この排出ホース２３を電柱２に巻き付けることによって固定するようにしてもよい。
【００７７】
また、営巣落下物防止装置１の受け部４を支持する支持部５としては、上記実施形態で説明したものの他に、例えば、電柱２に取り付け可能な、いわゆる突き出し金物その他の支持金物を用いることも可能である。
【００７８】
上記の実施形態では、底部１０と側壁部１１の境界位置に排出孔２１を設けた例を示したが、これに限らず、排出孔２１を底部１０に貫通形成し、底部１０の外面に突出口部２２を設けるようにしてもよい。また、この営巣落下物防止装置１には、複数の排出手段６が設けられていてもよい。
【００７９】
上記の実施形態では、受け部４の底部１０外面に四角筒状の取付部４１が設けられた例を示したが、これに限らず、第１支持部材５ａに係合可能な固定バンドその他の固定手段を設け、この固定手段を介して受け部４を第１支持部材５ａに固定するようにしてもよい。この場合は、第１支持部材５ａの貫通孔３４を用いることなく、受け部４の位置を変更可能となるが、この第１支持部材５ａの端部から受け部４が抜け外れないように、この端部に抜け止め突起を設けておくことが望ましい。
【００８０】
上記実施形態では、排出手段６の排出ホース２３を、電柱２に固定して、排出口２３ａから排出される液体が電柱２の表面を伝って電柱２基部近傍の地面に流れるようにした例を示したが、これに限らず、この液体を貯留する貯留タンクを電柱２に固定し、排出ホース２３をこの貯留タンクに接続して、受け部４に入った液体をこの貯留タンクで回収するようにしてもよい。
【図面の簡単な説明】
【００８１】
【図１】営巣落下物防止装置の第１実施形態を示す平面図である。
【図２】図１のＡ−Ａ線断面図である。
【図３】営巣落下物防止装置の第２実施形態を示す側面図である。
【図４】第１支持部材と第２支持部材を連結していない状態における営巣落下物防止装置の平面図である。
【図５】第２実施形態における受け部の側面図である。
【符号の説明】
【００８２】
１…営巣落下物防止装置、２…電柱、３…支持金物、４…受け部、５…支持部、５ａ…第１支持部材、５ｂ…第２支持部材、６…排出手段、１０…底部、１１…側壁部、１２…受け部材、１３…突起部、１５…腕部、１６…固定バンド、１７…ボルト、２１…排出孔、２２…排出口部、２３…排出ホース、２３ａ…排出口、２６…固定手段、２７…ナット、３１…第１連結部、３１ａ…第１連結孔、３４…貫通孔、３６…第２連結部、３６ａ…第２連結孔、３７…固定バンド、３８…連結ボルト、４１…取付部、４１ａ…貫通孔、４３…ボルト、４５…ボルト、４６…ナット
【図１】
2009118560.tif 000003
【図２】
2009118560.tif 000004
【図３】
2009118560.tif 000005
【図４】
2009118560.tif 000006
【図５】
2009118560.tif 000007